【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
商品販売店舗における商品棚に配設された電子表示媒体と、  前記電子表示媒体の表示を遠隔操作する制御装置と、を含み、  前記制御装置は、一の前記電子表示媒体に同一価格情報を有する複数の商品を一括表示させる一括表示制御部を含むことを特徴とする電子棚札システム。
【請求項２】
前記制御装置は、  前記同一価格情報を有する複数商品の商品を特定する商品情報と、  前記特定された商品情報に関する前記同一価格情報の１のみの価格情報と、を前記一の電子表示媒体に表示させることを特徴とする請求項１記載の電子棚札システム。
【請求項３】
前記制御装置は、  前記同一価格情報を有する複数商品の商品を特定する商品情報のうち、共通する情報を１の情報として表示させ、  相違する情報を列挙して表示させることを特徴とする請求項１または請求項２に記載の電子棚札システム。
【請求項４】
前記制御装置は、  前記同一価格情報を有する複数商品の商品を特定する商品情報のうち、共通する情報を１の情報として表示させ、  相違する情報を纏めて表示させることを特徴とする請求項１または請求項２に記載の電子棚札システム。
【請求項５】
前記制御装置は、前記同一価格情報を有していた複数の商品のうち、少なくとも１の商品の価格情報が異なる価格情報となった場合に、前記一の電子表示媒体に価格情報が不一致である旨を報知させる報知手段をさらに含むことを特徴とする請求項１から請求項４のいずれか１項に記載の電子棚札システム。
【請求項６】
前記商品販売店舗に納入される商品の商品情報を記録する記録手段をさらに含み、  前記制御装置は、前記同一価格情報を有していた複数の商品について、改めて前記記録手段に記録された商品の商品情報に含まれる価格情報を取得し、前記一括表示制御部により前記一の電子表示媒体に表示させようとする複数の商品の価格情報が不一致となった場合に、前記一の電子表示媒体に価格情報が不一致である旨を報知させる報知手段をさらに含むことを特徴とする請求項１から請求項５のいずれか１項に記載の電子棚札システム。
【請求項７】
前記記録手段は、ＰＯＳレジスターからなることを特徴とする請求項６記載の電子棚札システム。
【請求項８】
前記商品販売店舗内において使用され、前記制御装置と通信可能に設けられた携帯端末装置をさらに含み、  前記一括表示制御部は、前記携帯端末装置からの信号に応じて前記一の電子表示媒体に同一価格情報を有する複数の商品を一括表示させることを特徴とする請求項１から請求項７のいずれか１項に記載の電子棚札システム。
【請求項９】
前記携帯端末装置は、バーコード読み取り手段を備え、  前記制御装置は、前記報知手段により報知される場合において、前記一の電子表示媒体に商品情報を示すバーコードを表示させることを特徴とする請求項８に記載の電子棚札システム。
【請求項１０】
前記携帯端末装置は、前記一括表示制御部に対して、同一価格情報を有する商品を追加させるように制御指示を行うことができることを特徴とする請求項１から請求項７のいずれか１項に記載の電子棚札システム。
【請求項１１】
前記制御装置は、表示部をさらに備え、  前記報知手段により報知される場合に、当該電子表示媒体のロケーション情報および棚位置の少なくとも一方を前記表示部に表示させることができることを特徴とする請求項１から請求項８のいずれか１項に記載の商品販売システム。
【手続補正２】
【補正対象書類名】明細書
【補正対象項目名】００１９
【補正方法】変更
【補正の内容】
【００１９】（２）  電子棚札システムにおいて、制御装置は、同一価格情報を有する複数商品の商品を特定する商品情報と、特定された商品情報に関する同一価格情報の１のみの価格情報と、を一の電子表示媒体に表示させるものである。  この場合、同一価格情報を有する複数の商品を一の電子表示媒体に表示させることができ、さらに、価格情報をまとめることができるので、共通する価格情報を大きく表示させることができる。
【手続補正３】
【補正対象書類名】明細書
【補正対象項目名】００２０
【補正方法】変更
【補正の内容】
【００２０】（３）  電子棚札システムにおいて、制御装置は、同一価格情報を有する複数商品の商品を特定する商品情報のうち、共通する情報を１の情報として表示させ、相違する情報を列挙して表示させるものである。  この場合、同一価格情報を有する複数の商品を一の電子表示媒体に表示させることができ、さらに、商品情報のうち、共通する情報を１の情報として表示させ、相違する情報を列挙して表示させることができるので、電子表示媒体の使用個数を削減することができる。
【手続補正４】
【補正対象書類名】明細書
【補正対象項目名】００２１
【補正方法】変更
【補正の内容】
【００２１】（４）  電子棚札システムにおいて、制御装置は、同一価格情報を有する複数商品の商品を特定する商品情報のうち、共通する情報を１の情報として表示させ、相違する情報を纏めて表示させるものである。  この場合、同一価格情報を有する複数の商品を一の電子表示媒体に表示させることができ、さらに、商品情報のうち、共通する情報を１の情報として表示させ、相違する情報を纏めて表示させることができるので、電子表示媒体の使用個数を削減することができる。
【手続補正５】
【補正対象書類名】明細書
【補正対象項目名】００２２
【補正方法】変更
【補正の内容】
【００２２】（５）  電子棚札システムにおいて、制御装置は、同一価格情報を有していた複数の商品のうち、少なくとも１の商品の価格情報が異なる価格情報となった場合に、一の電子表示媒体に価格情報が不一致である旨を報知させる報知手段をさらに含むものである。  この場合、一括表示制御部により一の電子表示媒体に表示させる商品情報の価格情報が不一致である場合に、報知手段により一の電子表示媒体に価格情報が不一致である旨が報知される。それにより、報知手段に価格情報が不一致である旨が表示されるので、商品販売店舗の作業員は、容易に商品情報が不一致であることを知ることができ、電子表示媒体の表示を再設定することができる。
【手続補正６】
【補正対象書類名】明細書
【補正対象項目名】００２３
【補正方法】変更
【補正の内容】
【００２３】（６）  電子棚札システムにおいて、商品販売店舗に納入される商品の商品情報を記録する記録手段をさらに含み、制御装置は、同一価格情報を有していた複数の商品について、改めて記録手段に記録された商品の商品情報に含まれる価格情報を取得し、一括表示制御部により一の電子表示媒体に表示させようとする複数の商品の価格情報が不一致となった場合に、一の電子表示媒体に価格情報が不一致である旨を報知させる報知手段をさらに含んでもよい。  この場合、一括表示制御部により一の電子表示媒体に表示させる商品情報の価格情報が不一致である場合に、報知手段により一の電子表示媒体に価格情報が不一致である旨が報知される。それにより、報知手段に価格情報が不一致である旨が表示されるので、商品販売店舗の作業員は、容易に商品情報が不一致であることを知ることができ、電子表示媒体の表示を再設定することができる。
【手続補正７】
【補正対象書類名】明細書
【補正対象項目名】００２４
【補正方法】変更
【補正の内容】
【００２４】（７）  電子棚札システムにおいて、記録手段は、ＰＯＳ（Ｐｏｉｎｔ  ｏｆ  ｓａｌｅ）レジスターからなってもよい。  電子表示媒体の表示は、ＰＯＳレジスターにおいて記録された商品の価格情報に基づいて制御装置により一致、不一致が判定されるので、商品販売店舗内の商品棚に配設された電子表示媒体の価格と、ＰＯＳレジスターにおいて支払われる価格と、が一致する。その結果、顧客からのクレームを防止することができる。
【手続補正８】
【補正対象書類名】明細書
【補正対象項目名】００２５
【補正方法】変更
【補正の内容】
【００２５】（８）    商品販売店舗内において使用され、制御装置と通信可能に設けられた携帯端末装置をさらに含み、一括表示制御部は、携帯端末装置からの信号に応じて一の電子表示媒体に同一価格情報を有する複数の商品を一括表示させてもよい。  この場合、携帯端末装置からの信号に応じて一括表示制御部により一の電子表示媒体に同一価格情報を有する複数の商品を一括表示させることができる。その結果、商品販売店舗における作業者が携帯端末装置を操作することにより、一の電子表示媒体に同一価格情報を有する複数の商品を一括表示させることができる。
【手続補正９】
【補正対象書類名】明細書
【補正対象項目名】００２６
【補正方法】変更
【補正の内容】
【００２６】（９）    携帯端末装置は、バーコード読み取り手段を備え、制御装置は、報知手段により報知される場合において、一の電子表示媒体に商品情報を示すバーコードを表示させてもよい。  この場合、一の電子表示媒体に商品情報を示すバーコードが表示される。携帯端末装置に備えられたバーコード読み取り手段により当該バーコードを読み込み、商品の価格情報を変更させることができる。その結果、作業者がＰＯＳレジスターに記録された商品価格情報を容易に書き換えることができ、作業時間を削減することができる。
【手続補正１０】
【補正対象書類名】明細書
【補正対象項目名】００２７
【補正方法】変更
【補正の内容】
【００２７】（１０）  携帯端末装置は、一括表示制御部に対して、同一価格情報を有する商品を追加させるように制御指示を行うことができることが好ましい。  この場合、作業者は、携帯端末装置を用いて、新たに同一価格情報を有する商品を容易に追加させることができる。
【手続補正１１】
【補正対象書類名】明細書
【補正対象項目名】００２８
【補正方法】変更
【補正の内容】
【００２８】（１１）  制御装置は、表示部をさらに備え、報知手段により報知される場合に、当該電子表示媒体のロケーション情報および棚位置の少なくとも一方を表示部に表示させてもよい。  この場合、制御装置において報知手段により報知された電子表示媒体のロケーション情報および棚位置の少なくとも一方が表示される。その結果、管理者が、不一致の状態にある電子表示媒体を認識することができ、作業者に的確に指示を行い、表示価格と売価との確実な一致を実現することができる。